(57)【要約】      （修正有）【課題】印刷装置に安定した状態で装着可能なカセットを提供する。【解決手段】印刷装置に着脱可能なカセット１０は、カセット１０が印刷装置に装着された場合に、穴部３３の内側に挿入される印刷装置の押え部材１２４によって上側から押圧される被押圧部４８を備える。カセット１０は、印刷装置に装着された場合に、印刷装置により下側から支持される被支持部１４０，１４２，１４４を３箇所備える。被押圧部４８は、複数の被支持部１４０，１４２，１４４により定義される凸包絡１４６と上下方向において重なり、且つ、上下方向において、印刷テープロール２６の上側端部より下側に位置する。印刷テープロール２６は、上下方向である第１回転中心線Ｃ１を巻回中心として、穴部３３の周囲に巻回されて配置されている。【選択図】図１７
2020168729.tif 000002
【特許請求の範囲】
【請求項１】
印刷装置に着脱可能なカセットであって、
上面及び底面を備えたカセットケースと、
テープが巻回されて構成され、前記カセットケース内に配置されるテープロールと、
前記カセットが前記印刷装置に装着された場合に、前記印刷装置の押え部材が挿入される穴部であって、前記穴部の内側に、挿入される前記押え部材によって第１方向の一方側から押圧される被押圧部を備え、前記上面から前記第１方向の他方側に延びる前記穴部と、
前記カセットが前記印刷装置に装着された場合に、前記印刷装置により前記他方側から支持される被支持部であって、前記底面の少なくとも３箇所に設けられた複数の前記被支持部と、
を備え、
前記被押圧部は、前記複数の被支持部により定義される凸包絡と前記第１方向において重なり、且つ、前記第１方向において、前記テープロールの前記一方側端部より前記他方側に位置し、
前記テープロールは、前記第１方向を巻回中心として、前記穴部の周囲に巻回されて配置されている
ことを特徴とするカセット。
【請求項２】
前記テープロールを前記他方側から支持し、前記第１方向と直交する直交方向に延設された支持壁を備え、
前記被押圧部は、前記支持壁のうち前記印刷装置の押え部材に対向する部位に設けられている
ことを特徴とする請求項１に記載のカセット。
【請求項３】
前記被押圧部は、前記支持壁のうち前記テープロールを支持する支持面よりも前記一方側に突出した突出部に設けられている
ことを特徴とする請求項２に記載のカセット。
【請求項４】
前記カセットケースは、前記テープロールが設けられた第１層と、前記支持壁により前記第１層と区画され、前記第１層の前記他方側に位置する第２層と、を有し、
前記カセットは、
前記第２層の前記他方側を規定する規定壁と、
前記被押圧部の前記他方側と前記規定壁との間で前記第１方向に延設され、前記穴部と前記第１方向に重なる位置で前記被押圧部を支持する第１支持部と、
を備える
ことを特徴とする請求項２又は３に記載のカセット。
【請求項５】
前記第１支持部は、前記支持壁の前記他方側の面から前記他方側に向けて延設されている
ことを特徴とする請求項４に記載のカセット。
【請求項６】
前記第１方向と直交する直交方向に延設された底壁を備え、
前記カセットケースは、前記規定壁により前記第２層と区画され、前記第２層の前記他方側に位置する第３層を有し、
前記第３層の前記他方側は前記底壁によって規定され、
前記カセットは、
前記規定壁と前記底壁との間で前記第１方向に延設され、前記穴部と前記第１方向に重なる位置で前記規定壁を支持する第２支持部を備える
ことを特徴とする請求項４又は５に記載のカセット。
【請求項７】
前記第２支持部は、前記規定壁の前記他方側の面から前記他方側に向けて延設されている
ことを特徴とする請求項６に記載のカセット。
【請求項８】
前記直交方向において、前記第１支持部とは異なる位置で前記支持壁と前記規定壁とに接続し、前記支持壁に対する前記規定壁の前記直交方向への相対的な移動を規制する規制部を備える
ことを特徴とする請求項４乃至７の何れかに記載のカセット。
【請求項９】
前記穴部の一部を構成し、前記上面から前記他端側に向かって延設される穴壁部を備え、
前記被押圧部は、前記第１方向と直交する直交方向において、前記穴壁部から前記穴部の内側に向かって延設される
ことを特徴とする請求項１に記載のカセット。
【請求項１０】
前記テープロールを前記他方側から支持し、前記直交方向に延設された支持壁と、
前記被押圧部を前記他方側から支持する第３支持部であって、前記支持壁のうち前記穴部と前記第１方向に重なる位置に設けられた前記第３支持部と、
を備える
ことを特徴とする請求項９に記載のカセット。
【請求項１１】
前記第３支持部は、前記支持壁のうち前記テープロールを支持する支持面よりも前記一方側に突出している
ことを特徴とする請求項１０に記載のカセット。
【請求項１２】
前記第１方向において、前記被押圧部の前記他方側端部と前記第３支持部の前記一方側端部との間の隙間の距離は、前記上面を有する上壁と前記上壁に対向する前記テープロールとの間の隙間の距離よりも小さい
ことを特徴とする請求項１０又は１１に記載のカセット。
【請求項１３】
前記カセットケースは、前記テープロールが設けられた第１層と、前記支持壁により前記第１層と区画され、前記第１層の前記他方側に位置する第２層と、を有し、
前記カセットは、
前記第２層の前記他方側を規定する規定壁と、
前記支持壁を支持する第４支持部であって、前記第２層において前記穴部と前記第１方向に重なる位置で前記第１方向に延設される前記第４支持部と、
を備える
ことを特徴とする請求項１０乃至１２の何れかに記載のカセット。
【請求項１４】
前記第１方向と直交する直交方向に延設された底壁を備え、
前記カセットケースは、前記規定壁により前記第２層と区画され、前記第２層の前記他方側に位置する第３層を有し、
前記第３層の前記他方側は前記底壁によって規定され、
前記カセットは、
前記規定壁と前記底壁との間で前記第１方向に延設され、前記穴部と前記第１方向に重なる位置で前記規定壁を支持する第５支持部を備える
ことを特徴とする請求項１３に記載のカセット。
【請求項１５】
前記テープロールは、前記テープが筒状のテープスプールに巻回されて構成され、
前記被押圧部は、
前記第１方向と直交する直交方向において、前記テープスプールの内側に位置し、
前記第１方向において、前記テープスプールの前記一方側端部より前記他方側に位置し、且つ、前記テープスプールの前記他方側端部より前記一方側に位置する
ことを特徴とする請求項１乃至１４の何れかに記載のカセット。
【請求項１６】
前記穴部の開口部は、前記一方側から前記他方側に向かうにつれて前記穴部の直径が小さくなるように傾斜する傾斜面を備えている
ことを特徴とする請求項１乃至１５の何れかに記載のカセット。
【発明の詳細な説明】
【技術分野】
【０００１】
本発明は、印刷装置に着脱可能に装着されるカセットに関するものである。
【背景技術】
【０００２】
従来、カセットに収容されたインクリボンを介して文字等を印刷テープに印刷する印刷装置が知られている。例えば、特許文献１には、印刷装置の蓋体によりカセット装着部を覆う際に、蓋体に設けられた複数の押圧部が、カセットの各角部に設けられた複数の被当接部を押圧することでカセットが印刷装置に装着される。
【先行技術文献】
【特許文献】
【０００３】
【特許文献１】特開２００６−５６２６３号公報
【発明の概要】
【発明が解決しようとする課題】
【０００４】
カセットが採用し得る形状の制約により、例えば、カセットの複数の角部に被当接部を設けることができない場合がある。係る場合、カセット内における印刷テープの配置位置によっては、印刷テープの重量により安定した状態でカセットを装着することが困難となる。なお、印刷テープに限らず、他のカセット構造物、例えば印刷後の印刷テープに貼り合わされる貼り合せテープや、印刷テープが搬送される際の摩擦を低減するために印刷テープを覆う被膜テープ、インクリボンなどでも同様の課題が生じる。
【０００５】
本発明の目的は、印刷装置に安定した状態で装着可能なカセットを提供することである。
【課題を解決するための手段】
【０００６】
第１発明のカセットの要旨とするところは、印刷装置に着脱可能なカセットであって、上面及び底面を備えたカセットケースと、テープが巻回されて構成され、前記カセットケース内に配置されるテープロールと、前記カセットが前記印刷装置に装着された場合に、前記印刷装置の押え部材が挿入される穴部であって、前記穴部の内側に、挿入される前記押え部材によって第１方向の一方側から押圧される被押圧部を備え、前記上面から前記第１方向の他方側に延びる前記穴部と、前記カセットが前記印刷装置に装着された場合に、前記印刷装置により前記他方側から支持される被支持部であって、前記底面の少なくとも３箇所に設けられた複数の前記被支持部と、を備え、（ａ）前記被押圧部は、前記複数の被支持部により定義される凸包絡と前記第１方向において重なり、且つ、前記第１方向において、前記テープロールの前記一方側端部より前記他方側に位置し、（ｂ）前記テープロールは、前記第１方向を巻回中心として、前記穴部の周囲に巻回されて配置されていることにある。
【０００７】
第２発明のカセットの要旨とするところは、第１発明において、（ａ）前記テープロールを前記他方側から支持し、前記第１方向と直交する直交方向に延設された支持壁を備え、（ｂ）前記被押圧部は、前記支持壁のうち前記印刷装置の押え部材に対向する部位に設けられていることにある。
【０００８】
第３発明のカセットの要旨とするところは、第２発明において、前記被押圧部は、前記支持壁のうち前記テープロールを支持する支持面よりも前記一方側に突出した突出部に設けられていることにある。
【０００９】
第４発明のカセットの要旨とするところは、第２発明又は第３発明において、（ａ）前記カセットケースは、（ａ１）前記テープロールが設けられた第１層と、（ａ２）前記支持壁により前記第１層と区画され、前記第１層の前記他方側に位置する第２層と、を有し、（ｂ）前記カセットは、（ｂ１）前記第２層の前記他方側を規定する規定壁と、（ｂ２）前記被押圧部の前記他方側と前記規定壁との間で前記第１方向に延設され、前記穴部と前記第１方向に重なる位置で前記被押圧部を支持する第１支持部と、を備えることにある。
【００１０】
第５発明のカセットの要旨とするところは、第４発明において、前記第１支持部は、前記支持壁の前記他方側の面から前記他方側に向けて延設されていることにある。
【００１１】
第６発明のカセットの要旨とするところは、第４発明又は第５発明において、前記第１方向と直交する直交方向に延設された底壁を備え、（ａ）前記カセットケースは、（ａ１）前記規定壁により前記第２層と区画され、（ａ２）前記第２層の前記他方側に位置する第３層を有し、（ｂ）前記第３層の前記他方側は前記底壁によって規定され、（ｃ）前記カセットは、前記規定壁と前記底壁との間で前記第１方向に延設され、前記穴部と前記第１方向に重なる位置で前記規定壁を支持する第２支持部を備えることにある。
【００１２】
第７発明のカセットの要旨とするところは、第６発明において、前記第２支持部は、前記規定壁の前記他方側の面から前記他方側に向けて延設されていることにある。
【００１３】
第８発明のカセットの要旨とするところは、第４発明乃至第７発明の何れかにおいて、前記直交方向において、前記第１支持部とは異なる位置で前記支持壁と前記規定壁とに接続し、前記支持壁に対する前記規定壁の前記直交方向への相対的な移動を規制する規制部を備えることにある。
【００１４】
第９発明のカセットの要旨とするところは、第１発明において、（ａ）前記穴部の一部を構成し、前記上面から前記他端側に向かって延設される穴壁部を備え、（ｂ）前記被押圧部は、前記第１方向と直交する直交方向において、前記穴壁部から前記穴部の内側に向かって延設されることにある。
【００１５】
第１０発明のカセットの要旨とするところは、第９発明において、（ａ１）前記テープロールを前記他方側から支持し、前記直交方向に延設された支持壁と、（ａ２）前記被押圧部を前記他方側から支持する第３支持部であって、前記支持壁のうち前記穴部と前記第１方向に重なる位置に設けられた前記第３支持部と、を備えることにある。
【００１６】
第１１発明のカセットの要旨とするとことは、第１０発明において、前記第３支持部は、前記支持壁のうち前記テープロールを支持する支持面よりも前記一方側に突出していることにある。
【００１７】
第１２発明のカセットの要旨とするところは、第１０発明又は第１１発明において、前記第１方向において、前記被押圧部の前記他方側端部と前記第３支持部の前記一方側端部との間の隙間の距離は、前記上面を有する上壁と前記上壁に対向する前記テープロールとの間の隙間の距離よりも小さいことにある。
【００１８】
第１３発明のカセットの要旨とするところは、第１０発明乃至第１２発明の何れかにおいて、（ａ）前記カセットケースは、（ａ１）前記テープロールが設けられた第１層と、（ａ２）前記支持壁により前記第１層と区画され、前記第１層の前記他方側に位置する第２層と、を有し、（ｂ）前記カセットは、（ｂ１）前記第２層の前記他方側を規定する規定壁と、（ｂ２）前記支持壁を支持する第４支持部であって、前記第２層において前記穴部と前記第１方向に重なる位置で前記第１方向に延設される前記第４支持部と、を備えることにある。
【００１９】
第１４発明のカセットの要旨とするところは、第１３発明において、前記第１方向と直交する直交方向に延設された底壁を備え、（ａ）前記カセットケースは、前記規定壁により前記第２層と区画され、前記第２層の前記他方側に位置する第３層を有し、（ｂ）前記第３層の前記他方側は前記底壁によって規定され、（ｃ）前記カセットは、前記規定壁と前記底壁との間で前記第１方向に延設され、前記穴部と前記第１方向に重なる位置で前記規定壁を支持する第５支持部を備えることにある。
【００２０】
第１５発明のカセットの要旨とするところは、第１発明乃至第１４発明の何れかにおいて、（ａ）前記テープロールは、前記テープが筒状のテープスプールに巻回されて構成され、（ｂ）前記被押圧部は、（ｂ１）前記第１方向と直交する直交方向において、前記テープスプールの内側に位置し、（ｂ２）前記第１方向において、前記テープスプールの前記一方側端部より前記他方側に位置し、且つ、前記テープスプールの前記他方側端部より前記一方側に位置することにある。
【００２１】
第１６発明のカセットの要旨とするところは、第１発明乃至第１５発明の何れかにおいて、前記穴部の開口部は、前記一方側から前記他方側に向かうにつれて前記穴部の直径が小さくなるように傾斜する傾斜面を備えていることにある。
【発明の効果】
【００２２】
第１発明のカセットによれば、（ａ）前記被押圧部は、前記複数の被支持部により定義される凸包絡と前記第１方向において重なり、且つ、前記第１方向において、前記テープロールの前記一方側端部より前記他方側に位置し、（ｂ）前記テープロールは、前記第１方向を巻回中心として、前記穴部の周囲に巻回されて配置されている。周囲にテープロールが巻回された穴部の内部に被押圧部が備えられているので、カセット内部に収容された内蔵物との干渉が回避されてカセットの第１方向における投影面積の増加が抑制される。また、被押圧部が被支持部により定義される凸包絡と第１方向において重なっているため、１つの被押圧部でも安定した状態でカセットが装着可能となる。
【００２３】
第２発明のカセットによれば、（ａ）前記テープロールを前記他方側から支持し、前記第１方向と直交する直交方向に延設された支持壁が備えられ、（ｂ）前記被押圧部は、前記支持壁のうち前記印刷装置の押え部材に対向する部位に設けられている。これにより、被押圧部が印刷装置の押え部材により押圧されても、上面を有する上壁には押え部材の押圧力が直接加わらないため上壁の変形が抑制される。上壁の変形が抑制されるため、上壁とテープとの接触によるテープ引出抵抗の増加が抑制される。
【００２４】
第３発明のカセットによれば、前記被押圧部は、前記支持壁のうち前記テープロールを支持する支持面よりも前記一方側に突出した突出部に設けられている。支持壁から一方側に突出した突出部に被押圧部が設けられているため、印刷装置の押え部材に対する被押圧部の第１方向における位置決め精度が良くなる。これによりカセットが安定して押圧された状態で装着可能となる。
【００２５】
第４発明のカセットによれば、（ａ）前記カセットケースは、（ａ１）前記テープロールが設けられた第１層と、（ａ２）前記支持壁により前記第１層と区画され、前記第１層の前記他方側に位置する第２層と、を有し、（ｂ）前記カセットは、（ｂ１）前記第２層の前記他方側を規定する規定壁と、（ｂ２）前記被押圧部の前記他方側と前記規定壁との間で前記第１方向に延設され、前記穴部と前記第１方向に重なる位置で前記被押圧部を支持する第１支持部と、を備える。被押圧部は支持壁により支持されるとともに第１支持部を介して規定壁によっても支持される。支持壁及び規定壁により被押圧部が支持されるため、印刷装置の押え部材により押圧されても被押圧部が第１方向における他方側に変形しにくくなる。したがって、印刷装置の押え部材により、カセットが安定して押圧された状態で装着可能となる。
【００２６】
第５発明のカセットによれば、前記第１支持部は、前記支持壁の前記他方側の面から前記他方側に向けて延設されている。このように、第１支持部が支持壁と一体的に設けられているため、第１支持部が支持壁と別部材で設けられている場合に比べ、被押圧部が受ける印刷装置の押え部材の押圧力を規定壁に分散しやすくなる。したがって、印刷装置の押え部材により押圧されても被押圧部が第１方向における他方側に変形しにくくなり、カセットが安定して押圧された状態で装着可能となる。
【００２７】
第６発明のカセットによれば、前記第１方向と直交する直交方向に延設された底壁が備えられ、（ａ）前記カセットケースは、（ａ１）前記規定壁により前記第２層と区画され、（ａ２）前記第２層の前記他方側に位置する第３層を有し、（ｂ）前記第３層の前記他方側は前記底壁によって規定され、（ｃ）前記カセットは、前記規定壁と前記底壁との間で前記第１方向に延設され、前記穴部と前記第１方向に重なる位置で前記規定壁を支持する第２支持部を備える。被押圧部は支持壁及び規定壁により支持されるとともに第２支持部を介して底壁によっても支持される。支持壁、規定壁、及び底壁により被押圧部が支持されるため、印刷装置の押え部材により押圧されても被押圧部が第１方向における他方側に変形しにくくなる。したがって、カセットが安定して押圧された状態で装着可能となる。
【００２８】
第７発明のカセットによれば、前記第２支持部は、前記規定壁の前記他方側の面から前記他方側に向けて延設されている。このように、第２支持部が規定壁と一体的に設けられているため、第２支持部が規定壁と別部材で設けられている場合に比べ、規定壁が受ける印刷装置の押え部材の押圧力を底壁に分散しやすくなる。したがって、印刷装置の押え部材により押圧されても被押圧部が第１方向における他方側に変形しにくくなり、カセットが安定して押圧された状態で装着可能となる。
【００２９】
第８発明のカセットによれば、前記直交方向において、前記第１支持部とは異なる位置で前記支持壁と前記規定壁とに接続し、前記支持壁に対する前記規定壁の前記直交方向への相対的な移動を規制する規制部が備えられている。規制部が設けられることにより、直交方向における支持壁と規定壁との相対的な移動が規制されるため、直交方向における規定壁に対する第１支持部の移動が規制される。そのため、被押圧部に対する第１支持部による支持が確実に行われる。
【００３０】
第９発明のカセットによれば、（ａ）前記穴部の一部を構成し、前記上面から前記他端側に向かって延設される穴壁部が備えられ、（ｂ）前記被押圧部は、前記第１方向と直交する直交方向において、前記穴壁部から前記穴部の内側に向かって延設されている。このように上面から第１方向の他方側に延びる穴部の内側に向かって延設された部位が被押圧部である。被押圧部が上面から延設された穴壁部と一体的に設けられているため、印刷装置の押え部材に対する第１方向における被押圧部の位置決め精度が良くなる。また、穴壁部と被押圧部とが別々のケース部材に設けられている場合のように、直交方向において穴壁部と被押圧部との位置を一致させることが不要である。
【００３１】
第１０発明のカセットによれば、（ａ１）前記テープロールを前記他方側から支持し、前記直交方向に延設された支持壁と、（ａ２）前記被押圧部を前記他方側から支持する第３支持部であって、前記支持壁のうち前記穴部と前記第１方向に重なる位置に設けられた前記第３支持部と、が備えられる。被押圧部を支持する第３支持部が支持壁に設けられている。そのため、上面を有する上壁及び支持壁により被押圧部が支持されるため、印刷装置の押え部材により押圧されても被押圧部が第１方向における他方側に変形しにくくなる。したがって、カセットが安定して押圧された状態で装着可能となる。
【００３２】
第１１発明のカセットによれば、前記第３支持部は、前記支持壁のうち前記テープロールを支持する支持面よりも前記一方側に突出している。このように、第３支持部が支持壁から一方側に突出して被押圧部を支持しているため、印刷装置の押え部材に対する被押圧部の第１方向における位置決め精度が良くなる。これによりカセットが安定して押圧された状態で装着可能となる。
【００３３】
第１２発明のカセットによれば、前記第１方向において、前記被押圧部の前記他方側端部と前記第３支持部の前記一方側端部との間の隙間の距離は、前記上面を有する上壁と前記上壁に対向する前記テープロールとの間の隙間の距離よりも小さい。これにより、印刷装置の押え部材の押圧力により上壁が第１方向の他方側へ変形する場合、上壁とテープとが接触する前に被押圧部がテープを支持する支持壁に接触する。すなわち、上壁とテープとが接触しそうになると、被押圧部が支持壁により支持される。そのため、上壁の第１方向における他方側へ変形に起因する上壁とテープとの接触によるテープ引出抵抗の増加が抑制される。
【００３４】
第１３発明のカセットによれば、（ａ）前記カセットケースは、（ａ１）前記テープロールが設けられた第１層と、（ａ２）前記支持壁により前記第１層と区画され、前記第１層の前記他方側に位置する第２層と、が備えられ、（ｂ）前記カセットは、（ｂ１）前記第２層の前記他方側を規定する規定壁と、（ｂ２）前記支持壁を支持する第４支持部であって、前記第２層において前記穴部と前記第１方向に重なる位置で前記第１方向に延設される前記第４支持部と、を備える。被押圧部は支持壁の第３支持部により支持されるとともに第４支持部を介して規定壁によっても支持される。支持壁及び規定壁により被押圧部が支持されるため、印刷装置の押え部材により押圧されても被押圧部が第１方向における他方側に変形しにくくなる。したがって、カセットが安定して押圧された状態で装着可能となる。
【００３５】
第１４発明のカセットによれば、前記第１方向と直交する直交方向に延設された底壁が備えられ、（ａ）前記カセットケースは、前記規定壁により前記第２層と区画され、前記第２層の前記他方側に位置する第３層を有し、（ｂ）前記第３層の前記他方側は前記底壁によって規定され、（ｃ）前記カセットは、前記規定壁と前記底壁との間で前記第１方向に延設され、前記穴部と前記第１方向に重なる位置で前記規定壁を支持する第５支持部を備える。被押圧部は支持壁及び規定壁により支持されるとともに第５支持部を介して底壁によっても支持される。支持壁、規定壁、及び底壁により被押圧部が支持されるため、印刷装置の押え部材により押圧されても被押圧部が第１方向における他方側に変形しにくくなる。したがって、カセットが安定して押圧された状態で装着可能となる。
【００３６】
第１５発明のカセットによれば、（ａ）前記テープロールは、前記テープが筒状のテープスプールに巻回されて構成され、（ｂ）前記被押圧部は、（ｂ１）前記第１方向と直交する直交方向において、前記テープスプールの内側に位置し、（ｂ２）前記第１方向において、前記テープスプールの前記一方側端部より前記他方側に位置し、且つ、前記テープスプールの前記他方側端部より前記一方側に位置する。このように、テープロールのテープが巻回されたテープスプールの内側に被押圧部が位置しているので、カセット内部に収容された内蔵物との干渉が回避されてカセットの第１方向における投影面積の増加が抑制される。
【００３７】
第１６発明のカセットによれば、前記穴部の開口部は、前記一方側から前記他方側に向かうにつれて前記穴部の直径が小さくなるように傾斜する傾斜面が備えられている。印刷装置の押え部材が穴部に挿入される場合、穴部の開口部に傾斜面が設けられているため押え部材が穴部にスムーズに導かれる。
【図面の簡単な説明】
【００３８】
【図１】本発明の実施形態１に係るカセットの正面側を示す斜視図である。
【図２】カセットの裏面側を示す斜視図である。
【図３】カセットの第１ケース部材、第２ケース部材、第３ケース部材、および第４ケース部材を分離させて、カセットの内部構成を説明する斜視図である。
【図４】第１ケース部材の正面側を示す正面図である。
【図５】第１ケース部材の裏面側を示す斜視図である。
【図６】第２ケース部材の正面側を印刷テープロールとともに示す平面図である。
【図７】第１ケース部材が取り除かれた状態のカセットの正面側を示す斜視図である。
【図８】印刷テープがテープケース内からリボンケース内へ架け渡されている状態を示す、図６のVIII−VIII視断面図である。
【図９】第２ケース部材の裏面側を示す斜視図である。
【図１０】第３ケース部材の正面側を示す斜視図である。
【図１１】第３ケース部材の裏面側を示す斜視図である。
【図１２】第４ケース部材の正面側を示す斜視図である。
【図１３】第４ケース部材の裏面側を示す裏面図である。
【図１４】第３ケース部材の裏面を示す図を用いて、カセットがカセット装着部に装着された場合における印刷テープ、貼合せテープ、およびインクリボンの経路をそれぞれ示す図である。
【図１５】カセットから送り出された印刷テープおよび貼合せテープの積層体を模式的に説明する図である。
【図１６】カセットが装着される、印刷装置の一部に設けられたカセット装着部を説明する図である。
【図１７】印刷装置に設けられたカセット装着部へのカセットの装着について説明する図であって、（ａ）は、図６のXVII−XVII視におけるカセットケースの模式的な断面図であり、（ｂ）は、第３ケース部材の裏面側を示す図を用いた説明図である。
【図１８】本発明の実施形態２に係るカセットの断面構造及び印刷装置に設けられたカセット装着部へのカセットの装着について説明する図である。
【図１９】本発明の実施形態３に係るカセットの断面構造及び印刷装置に設けられたカセット装着部へのカセットの装着について説明する図である。
【図２０】本発明の実施形態４に係るカセットの断面構造及び印刷装置に設けられたカセット装着部への装着について説明する図である。
【図２１】本発明の実施形態５に係るカセットの断面構造及び印刷装置に設けられたカセット装着部へのカセットの装着について説明する図である。
【図２２】実施形態４に係るカセットの被押圧部への押圧によるカセットケースの変形について説明する図である。
【図２３】カセットに設けられた支持部の形状を説明する図である。
【発明を実施するための形態】
【００３９】
以下、本発明の各実施形態について図面を参照しつつ詳細に説明する。なお、以下の各実施形態において図は理解を容易とするために適宜簡略化或いは変形されており、各部の寸法比および形状等は必ずしも正確に描かれていない。また、各実施形態においては、先行する実施形態と異なる部分を中心に説明することとし、先行する実施形態と機能において実質的に共通する部分には同一の符号を付して説明を適宜省略する。
【実施例１】
【００４０】
［実施形態１］
図１は、本発明の実施形態１に係るカセット１０の上側すなわち正面側を示す斜視図である。図１において、紙面上側、紙面下側、紙面右側、紙面左側、紙面左上側、及び紙面右下側が、それぞれカセット１０における前側、後側、左側、右側、上側、及び、下側である。図２は、カセット１０の下側すなわち裏面側を示す斜視図である。図３は、カセット１０の第１ケース部材１２、第２ケース部材１４、第３ケース部材１６、および第４ケース部材１８を分離させて、カセット１０の内部構成を説明する斜視図である。なお、上下方向において、上側を一方側といい、下側を他方側ということとする。
【００４１】
カセット１０は、全体として直方体状を成し、後述の図１６に示す印刷装置１０２のカセット装着部１０４に着脱可能に装着される。カセット１０は、カセットケース１９を備える。カセットケース１９は、第１ケース部材１２および第２ケース部材１４から構成されるテープケース２０と、第３ケース部材１６および第４ケース部材１８から構成されるリボンケース２１と、を備えている。第１ケース部材１２から第４ケース部材１８は、図１に示す上下方向に積み重ねられている。
【００４２】
リボンケース２１は、テープケース２０に対して上下方向の他方側である下側に位置する。テープケース２０は、内部に形成された第１空間Ｓ１に被印刷媒体である印刷テープ２２が巻回された印刷テープロール２６（図３参照）を備える。印刷テープスプール２４に巻回された印刷テープ２２の幅方向である第１方向は、図１に示す上下方向に対応する。リボンケース２１は、内部に形成された第３空間Ｓ３にインクリボンロール７２（図３参照）及び貼合せテープロール６４（図３参照）を備える。なお、第１空間Ｓ１は、本発明における「第１層」に対応し、第３空間Ｓ３は、本発明における「第３層」に対応する。
【００４３】
インクリボンロール７２は、帯状のインクリボン６８が巻取スプール７６に巻回されて構成される。インクリボン６８は、帯状の印刷テープ２２への印刷に使用される。貼合せテープロール６４は、印刷された印刷テープ２２に貼り合わされる帯状の貼合せテープ６０が、貼合せテープ６０の幅方向が第１方向である上下方向となるように貼合せテープスプール６２に巻回されたものである。すなわち、貼合せテープロール６４の径方向は前後方向及び左右方向を含む、上下方向に対して直交する直交方向である。直交方向は、上下方向に直交する平面に平行な任意な方向とも言い換えることができる。径方向は上下方向に直交する直交方向である。
【００４４】
第１ケース部材１２、第２ケース部材１４、第３ケース部材１６、および第４ケース部材１８は、上下方向に相互に重ねられた状態で、相互の外周壁間にそれぞれ設けられた複数の係止爪２７と固定爪２８との係合及び複数の位置決め突起２９Ａと位置決め穴２９Ｂとによる位置決め（後述の図５〜６、図９〜１２参照）によって相互に固定されている。なお、本実施形態において、各ケース部材１２，１４，１６，１８の上側の面を正面と称し、下側の面を裏面と称す。
【００４５】
図２に示すように、カセット１０の第４ケース部材１８の裏面には、上下方向に貫通する巻取スプール支持穴９４が設けられている。また、第３ケース部材１６および第４ケース部材１８の前側の面、すなわち、リボンケース２１の前側の面には、カセット１０が印刷装置１０２のカセット装着部１０４に装着されたとき、カセット装着部１０４に設けられた後述の印刷ヘッド１０６が挿入される凹溝１１が形成されている。
【００４６】
図４は、第１ケース部材１２の正面側を示す正面図であり、図５は、第１ケース部材１２の裏面側を示す斜視図である。図６は、第２ケース部材１４の正面側を示す正面図である。なお、図６では、印刷テープロール２６から引き出された印刷テープ２２の記載は省略されている。図７は、第１ケース部材１２が取り除かれた状態のカセット１０の正面側を示す斜視図である。図８は、印刷テープ２２がテープケース２０内からリボンケース２１内へ架け渡されている状態を示す、図６のVIII−VIII視断面図である。図９は、第２ケース部材１４の裏面側を示す斜視図である。図１０は、第３ケース部材１６の正面側を示す斜視図であり、図１１は、第３ケース部材１６の裏面側を示す斜視図である。図１２は、第４ケース部材１８の正面側を示す斜視図であり、図１３は、第４ケース部材１８の裏面側を示す裏面図である。
【００４７】
第１ケース部材１２と第２ケース部材１４との間には、第１空間Ｓ１が形成されている。第１空間Ｓ１には、印刷テープロール２６が上下方向に平行な第１回転中心線Ｃ１まわりに回転可能に収容されている。なお、第１回転中心線Ｃ１は、印刷テープロール２６の回転中心であるとともに、印刷テープスプール２４の回転中心でもある。印刷テープロール２６は、印刷テープ２２が円筒状の軸芯材である印刷テープスプール２４に巻回されて構成される。第１方向視である上下方向視において第１ケース部材１２および第２ケース部材１４は長方形状であって、第１回転中心線Ｃ１は、第１ケース部材１２および第２ケース部材１４における、第２方向である前後方向の略中央付近、且つ、第３方向である左右方向の中央略右寄りに位置している。印刷テープ２２は、印刷ヘッド１０６によって印刷される被印刷媒体である。なお、印刷テープ２２、印刷テープスプール２４、及び、印刷テープロール２６は、本発明における「テープ」、「テープスプール」、及び「テープロール」にそれぞれ対応する。
【００４８】
印刷テープ２２は、たとえば図１５に示すように、剥離媒体として機能する剥離テープ２２ｃが被印刷テープ２２ａの印刷面とは反対側の面に、粘着剤２２ｂを介して積層されることにより構成されたものである。
【００４９】
図３、図５に示すように、第１ケース部材１２の上壁１２ａにおける裏面側の面である裏面１２ａ２側には、円筒状の第１支持突起３０と、第１円周壁３４とが設けられる。上下方向において、第１支持突起３０の上側端部は、第１ケース部材１２の上壁１２ａにおける正面側の面である正面１２ａ１において開口している。上下方向において、第１支持突起３０の下側端部も開口している。すなわち、第１支持突起３０は貫通孔である。第１支持突起３０は、円筒状の印刷テープスプール２４の内側に挿入され印刷テープロール２６を回転可能に支持する。第１ケース部材１２は、上壁１２ａの外周部から下側に延設された長辺部４４ｂと短辺部４４ａとを有する外周壁４４を備える。第１円周壁３４は、印刷テープロール２６の外径よりも大きい内径を有する。第１支持突起３０と第１円周壁３４とは、第１回転中心線Ｃ１と同じ中心線を有する状態で第１ケース部材１２の上壁１２ａから下向きに突設されている。なお、正面１２ａ１は、本発明におけるカセット１０が備える「上面」に対応する。
【００５０】
図６及び図７に示すように、第２ケース部材１４の正面側には、第２円周壁３６が設けられている。図９及び後述の図１７に示すように、第２ケース部材１４の正面側に円筒状の第２支持突起３２が設けられている。第２支持突起３２は、円筒状の印刷テープスプール２４の内側に挿入され印刷テープロール２６を回転可能に支持する。第２円周壁３６は、印刷テープロール２６の外径よりも大きい内径を有する。第２支持突起３２と第２円周壁３６は、第１回転中心線Ｃ１と同じ中心線を有する状態で第２ケース部材１４の正面側から上向きに突設されている。印刷テープロール２６は、印刷テープロール２６の外径と略同じ外径を有する円形のスペーサフィルム３８を印刷テープロール２６の上下にそれぞれ介在させた状態で第１ケース部材１２と第２ケース部材１４との間に配設されている。
【００５１】
第１ケース部材１２の裏面側および第２ケース部材１４の正面側には、図５および図６に示すように、印刷テープロール２６から印刷テープ２２を一定の位置から引き出すために第１円周壁３４および第２円周壁３６の一部を切り欠いて形成した印刷テープゲート４０，４２が形成されている。図６および図７に示すように、第２ケース部材１４の正面側には、印刷テープロール２６から引き出された印刷テープ２２を一定の方向に案内するために、印刷テープゲート４２の左端から左方向へ延びる案内壁５０が形成されている。
【００５２】
図６に示すように、印刷テープゲート４２の左端から左方向へ延びる案内壁５０は、外周壁４６の短辺部４６ａに到達する前に長辺部４６ｂ側すなわち後方へ曲がり、第２円周壁３６に沿って延設されて長辺部４６ｂへ接続されている。
【００５３】
図６に示すように、第２ケース部材１４の支持壁１４ａには、案内壁５０と外周壁４６の長辺部４４ｂとに沿って前後方向及び左右方向に延びる正面視略Ｌ字状の貫通孔５２が形成されている。支持壁１４ａには、第２円周壁３６のうち案内壁５０および長辺部４４ｂに対向する部分と貫通孔５２との間において複数の案内リブ５４が形成されている。複数の案内リブ５４は、印刷テープロール２６から巻き出され且つ印刷テープゲート４０，４２を通して送り出された印刷テープ２２を貫通孔５２内へ案内する。
【００５４】
図７は、第１ケース部材１２を取り除いたカセット１０を示す。図７に示すように、印刷テープロール２６から引き出された印刷テープ２２は、貫通孔５２を通して第３ケース部材１６と第４ケース部材１８との間の第３空間Ｓ３内へ導かれている。第１空間Ｓ１と後述の第２空間Ｓ２とを区画する板材として機能する支持壁１４ａに形成された貫通孔５２及び第２空間Ｓ２と第３空間Ｓ３とを区画する板材として機能する規定壁１６ａに形成された貫通孔５８（図１０参照）を通して、印刷テープ２２はテープケース２０とリボンケース２１とに架け渡される。
【００５５】
図８に示すように、印刷テープ２２は、貫通孔５２及び貫通孔５８を通して、テープケース２０内からリボンケース２１内へ斜めに架け渡される。より詳細には、後述する図１４に示すように、印刷テープ２２は、リボンケース２１の凹溝１１にまで架け渡されている。
【００５６】
図９に示すように、第２ケース部材１４の支持壁１４ａには、貫通孔５２が開口しており、貫通孔５２に沿って案内壁５６が上下方向に立設されている。図１０に示すように、第３ケース部材１６の規定壁１６ａには、貫通孔５８と、貼合せテープロール支持穴６６と、インクリボン支持穴７４と、巻取スプール支持穴７８と、ローラ支持穴８２と、が形成されている。貫通孔５８は、印刷テープロール２６から引き出された印刷テープ２２を第３空間Ｓ３へ通すために、第２ケース部材１４の貫通孔５２に対応する位置に形成されている。つまり、貫通孔５２の一部と貫通孔５８の一部は上下方向において互いに重複している。
【００５７】
貼合せテープロール支持穴６６は、貼合せテープ６０が巻回された貼合せテープスプール６２の一端を嵌め入れて貼合せテープロール６４を第１回転中心線Ｃ１と平行な第２回転中心線Ｃ２まわりに回転可能に支持する。なお、第２回転中心線Ｃ２は、貼合せテープロール６４の回転中心であるとともに、貼合せテープスプール６２の回転中心でもある。図１５に示すように、印刷テープ２２の印刷面を保護するために、貼合せテープ６０は例えばこの印刷面と接触する一面に粘着剤６０ｂが塗布された透明な媒体である透明フィルム６０ａから成る。インクリボン支持穴７４は、インクリボン６８が巻回された供給スプール７０の一端を嵌め入れてインクリボンロール７２を第１回転中心線Ｃ１と平行な第３回転中心線Ｃ３まわりに回転可能に支持する。なお、第３回転中心線Ｃ３は、インクリボンロール７２の回転中心であるとともに、供給スプール７０の回転中心でもある。巻取スプール支持穴７８は、インクリボンロール７２から引き出されたインクリボン６８を巻き取る巻取スプール７６の一端を嵌め入れて巻取スプール７６を第１回転中心線Ｃ１と平行な第４回転中心線Ｃ４まわりに回転可能に支持する。なお、第４回転中心線Ｃ４は、巻取スプール７６の回転中心である。ローラ支持穴８２は、印刷テープ２２の印刷面と貼合せテープ６０の接着面とを圧着するために印刷テープ２２と貼合せテープ６０とを印刷装置１０２の押圧ローラ１１８との間で挟圧するローラ８０の一端を嵌め入れてローラ８０を第１回転中心線Ｃ１と平行な第５回転中心線Ｃ５まわりに回転可能に支持する。
【００５８】
図１１に示すように、第３ケース部材１６の裏面には、貼合せテープロール保持壁８４と、インクリボンロール保持壁８６と、円筒状突起８８と、円弧状壁９２と、が形成されている。貼合せテープロール保持壁８４および円弧状壁９２は、貼合せテープロール６４の配置位置を規定するために貼合せテープロール支持穴６６の周囲に貼合せテープロール支持穴６６を中心とする円弧状に形成されている。インクリボンロール保持壁８６は、巻取スプール７６に巻き取られたインクリボン６８の配置位置を規定するために巻取スプール支持穴７８の周囲に巻取スプール支持穴７８を中心とする円弧状に形成されている。円筒状突起８８は、インクリボン支持穴７４の周囲から下方に突設され且つ先端面に周方向に並ぶ凹凸が形成されている。第３ケース部材１６の裏面には、貼合せテープ６０の張り付きを防止する張付防止ローラ９１の上側端部を回動可能に支持する支持突起９３が設けられている。図１２に示すように、第４ケース部材１８の正面には、張付防止ローラ９１の下側端部を連結可能に支持する支持突起９５が設けられている。
【００５９】
図３に示すように、インクリボン６８が巻回された供給スプール７０の他端には、クラッチばねを収容したクラッチばねホルダ９０が嵌め付けられている。クラッチばねホルダ９０内のクラッチばねによって、インクリボンロール７２の供給スプール７０には適度の回転抵抗が付与されるようになっている。
【００６０】
図１２及び図１３に示すように、第４ケース部材１８の底壁１８ａには、巻取スプール７６の他端を嵌め入れて巻取スプール７６を回転可能に支持する巻取スプール支持穴９４が上下方向に貫通して形成されている。巻取スプール７６の他端側の端面に形成された連結穴９６が、図２に示すように巻取スプール支持穴９４を通して第４ケース部材１８における底壁１８ａの裏面１８ａ２に露出させられる。カセット１０が印刷装置１０２に装着されたとき、後述の印刷装置１０２の巻取スプール駆動軸１０８が連結穴９６内に挿入されて巻取スプール７６に連結され、巻取スプール７６が巻取スプール駆動軸１０８により回転駆動される。第４ケース部材１８には、供給スプール７０の他端を嵌め入れて供給スプール７０を回転可能に支持する円筒状の支持突起９７が底壁１８ａの正面１８ａ１から上側に向けて延設されている。
【００６１】
第４ケース部材１８には、第３ケース部材１６に形成されたローラ支持穴８２に対応する位置に、ローラ８０の軸端を露出させるローラ露出穴９８が底壁１８ａに設けられている。ローラ８０の第４ケース部材１８側の端部に形成された連結部８０ａが、図２に示すようにローラ露出穴９８を通して第４ケース部材１８における底壁１８ａの裏面１８ａ２に露出させられる。カセット１０が印刷装置１０２に装着されたとき、後述の印刷装置１０２のローラ駆動軸１１０が連結部８０ａと連結され、ローラ８０がローラ駆動軸１１０により回転駆動される。
【００６２】
図７及び図１１に示すように、第３ケース部材１６の外周壁４６の長辺部４６ｂには、第３ケース部材１６の裏面側から長辺部４６ｂの上下方向における略中央付近まで延びる溝部が設けられており、その溝部の正面側の先端部が後述する被支持部１４０となっている。第４ケース部材１８の外周壁には、上下方向と直交する直交方向においてその被支持部１４０に対応する位置に上下方向に貫通して延びる溝部が設けられている。したがって、第１ケース部材１２、第２ケース部材１４、第３ケース部材１６、および第４ケース部材１８が上下方向に相互に重ねられて固定された場合、被支持部１４０はカセット１０の裏面側に向けて露出している、すなわち被支持部１４０は、第４ケース部材１８の裏面１８ａ２側に露出している。
【００６３】
図１４は、第３ケース部材１６の裏面側を示す図であり、カセット１０がカセット装着部１０４に装着された場合における印刷テープ２２、貼合せテープ６０、およびインクリボン６８の経路をそれぞれ示す図である。前述の通り、印刷テープ２２は、印刷テープロール２６から引き出され、貫通孔５２および貫通孔５８を介してテープケース２０内の第１空間Ｓ１からリボンケース２１内の第３空間Ｓ３に斜めに架け渡される。そのため、第３ケース部材１６を示す図１４において印刷テープ２２は、第３ケース部材１６の後方の貫通孔５８から描画されている。図１４に示すように、印刷テープ２２および貼合せテープ６０は、ローラ８０と印刷装置１０２の押圧ローラ１１８とに挟圧され、ローラ８０の駆動によって、各々印刷テープロール２６および貼合せテープロール６４から引き出される。インクリボン６８は、巻取スプール７６の駆動によってインクリボンロール７２から引き出され、巻取スプール７６に巻き取られる。印刷テープ２２は二点鎖線で、貼合せテープ６０は破線で、インクリボン６８は一点鎖線で示されている。
【００６４】
図１４に示すように、印刷ヘッド１０６とプラテンローラ１１６との間の印刷場所Ｐにおいて、印刷テープ２２はインクリボン６８を介して印刷ヘッド１０６に押しつけられる。この状態で、印刷ヘッド１０６の表面に配置された複数の発熱素子が選択的に駆動されて局所発熱することで、インクリボン６８の一面に設けられたインク６８ａのうち一部が印刷テープ２２に転写されて、印刷テープ２２に文字、記号などが印刷される。印刷場所Ｐを通過した使用済のインクリボン６８は巻取スプール７６に巻き取られる。印刷場所Ｐを通過した印刷テープ２２の印刷面は、ローラ８０と印刷装置１０２の押圧ローラ１１８により透明な貼合せテープ６０が狭圧されて接着される。これにより、印刷テープ２２の印刷面は貼合せテープ６０により保護される。
【００６５】
図１５は、カセット１０から送り出された印刷テープ２２および貼合せテープ６０の積層体を模式的に説明する図である。印刷テープ２２の被印刷テープ２２ａ側すなわち印刷面側に、一面に粘着剤６０ｂが塗布された透明フィルム６０ａから構成された貼合せテープ６０が、貼り着けられている。これにより、印刷テープ２２の印刷面に転写されたインク６８ａが保護される。なお、図１５に描かれた積層体の各部材２２ａ〜２２ｃ，６０ａ，６０ｂ，６８ａの大きさや寸法比等は必ずしも正確ではない。
【００６６】
図１６は、カセット１０が装着される、印刷装置１０２の一部に設けられたカセット装着部１０４を説明する図である。図１６は、正面側から見た図である。カセット装着部１０４には、嵌め入れられたカセット１０を位置決めする矩形の装着穴１０４ａと、装着穴１０４ａの底面に立設された巻取スプール駆動軸１０８およびローラ駆動軸１１０と、が設けられている。装着穴１０４ａは、カセット１０のリボンケース２１の一部を収容する収容部として機能している。これら巻取スプール駆動軸１０８およびローラ駆動軸１１０は、図示しないステップモータによりギヤ機構を介して同じ方向に回転駆動される。カセット装着部１０４の装着穴１０４ａの底面には、熱式の印刷ヘッド（サーマルプリントヘッド）１０６が固着されたヘッド保持板１１４が立設されており、プラテンローラ１１６および押圧ローラ１１８が回転可能に先端部に設けられたプラテン保持部材１２０がその基端部まわりに回動可能に設けられている。ヘッド保持板１１４は、たとえばアルミニウム製の金属板であって、印刷ヘッド１０６のヒートシンクを兼ねている。
【００６７】
カセット１０が、印刷装置１０２のカセット装着部１０４に装着されると、カセット装着部１０４に立設された巻取スプール駆動軸１０８およびローラ駆動軸１１０が巻取スプール７６およびローラ８０にそれぞれ連結される。次いで、カセット１０がカセット装着部１０４に装着された状態で印刷装置１０２の後述する本体カバー１２２が閉じられると、プラテン保持部材１２０がその基端部まわりに回動させられて、プラテンローラ１１６および押圧ローラ１１８が印刷ヘッド１０６およびカセット１０のローラ８０へ押圧されるようになっている。印刷装置１０２とカセット１０とが、印刷システム２００を構成している。
【００６８】
図１７は、印刷装置１０２に設けられたカセット装着部１０４へのカセット１０の装着について説明する図であって、（ａ）は、図６のXVII−XVII視におけるカセットケース１０の模式的な断面図であり、（ｂ）は、第３ケース部材１６の裏面側を示す図を用いた説明図である。なお、図１７（ａ）では、印刷テープロール２６は示されているが、貼合せテープロール６４、インクリボンロール７２、巻取スプール７６などは省略されている。また、スペーサフィルム３８は、印刷テープロール２６に含めて図示されている。
【００６９】
前述したように、リボンケース２１は、テープケース２０に対して下方に重ねて配置されている。テープケース２０内に収容された印刷テープロール２６およびスペーサフィルム３８を第３空間Ｓ３内で前後方向および左右方向に広がる投影面上に対し上下方向に投影した場合、印刷テープロール２６およびスペーサフィルム３８の投影位置は図１７（ｂ）の一点鎖線で示される。なお、スペーサフィルム３８は印刷テープロール２６と略同じ直径を有するので、図１７（ｂ）では印刷テープロール２６を表す一点鎖線のみが記載されている。
【００７０】
図１７（ａ）に示すように、カセット１０が印刷装置１０２のカセット装着部１０４に装着される場合、カセット１０はカセット装着部１０４に設けられた装着穴１０４ａに挿入される。装着穴１０４ａの底面には、上側に向けて突出する少なくとも３箇所のカセット支持部１３０，１３２，１３４が設けられている。カセット支持部１３０，１３２，１３４は、カセット１０が印刷装置１０２に装着された場合に、カセット１０を下側から支持する。カセット支持部１３０，１３２，１３４の上側の先端面のそれぞれが、あて面１３０ａ，１３２ａ，１３４ａである。カセット１０において、あて面１３０ａ，１３２ａ，１３４ａのそれぞれに接触する部位すなわちカセット１０がカセット支持部１３０，１３２，１３４により支持される部位が、カセット１０における被支持部１４０，１４２，１４４である。本実施例においては、被支持部１４０は、第３ケース部材１６の外周壁４６の長辺部４６ｂに設けられた溝部の正面側の先端部に設けられ、被支持部１４２，１４４は、第４ケース部材１８の底壁１８ａの裏面１８ａ２に設けられている。このように、カセット１０の上下方向において、少なくとも３箇所設けられた被支持部１４０，１４２，１４４は同じ位置であるとは限らない。なお、本発明におけるカセット１０が備える「底面」は、カセット１０において裏面側に露出している面をいい、被支持部１４０，１４２，１４４は底面に設けられている。
【００７１】
本体カバー１２２には、下側に向けて突出する押え部材１２４が設けられている。第１ケース部材１２には、カセット１０が印刷装置１０２に装着され、本体カバー１２２が閉じられた場合に、押え部材１２４が挿入される、上壁１２ａの正面１２ａ１から下側に延びる穴部３３が設けられている。前述した円筒状の第１支持突起３０は、上壁１２ａの正面１２ａ１から下側に向かって延設された穴部３３の一部を構成する穴壁部であり、第１支持突起３０の中空部は穴部３３である。穴部３３の上端側に設けられた開口部には、上側から下側に向かうにつれて穴部３３の直径が小さくなる傾斜面３１が設けられている。穴部３３の内側には、挿入される押え部材１２４によって上側から押圧される被押圧部４８が設けられている。図１７（ａ）に示すように、例えば、上下方向において第２支持突起３２の上側端部は円盤状に閉じられ、第２支持突起３２の下側端部は開口している。被押圧部４８は、第２支持突起３２の上側端部における円盤状の平面である。印刷テープロール２６の巻回中心は、上下方向である第１回転中心線Ｃ１であり、印刷テープロール２６は、穴部３３の周囲に巻回されて配置されている。これにより、押え部材１２４及び３箇所のカセット支持部１３０，１３２，１３４によりカセット１０が上下方向に挟まれた状態となることで、カセット１０が上下方向に移動しないように固定される。
【００７２】
図１７（ｂ）に示すように、少なくとも３箇所の被支持部１４０，１４２，１４４により定義されるのが凸包絡（線）１４６である。凸包絡１４６は、上下方向視で被支持部１４０，１４２，１４４を結ぶことで形成される領域である。被押圧部４８は、上下方向において凸包絡１４６と重なっている。このように、上下方向に直交する直交方向において、被押圧部４８が凸包絡１４６内に設けられている。そのため、直交方向における凸包絡１４６内の少なくとも１点で押圧すればカセット１０は安定した状態で装着される。
【００７３】
図１７（ａ）に示すように、第２ケース部材１４は、印刷テープロール２６を下側から支持し、上下方向と直交する直交方向に延設された支持壁１４ａを備える。直交方向において、被押圧部４８は、支持壁１４ａのうち押え部材１２４に対向する部位に設けられ、印刷テープスプール２４の内側に位置している。被押圧部４８は、支持壁１４ａのうち印刷テープロール２６を支持する支持面よりも上側に突出した第２支持突起３２に設けられている。上下方向において、被押圧部４８は、印刷テープスプール２４の上側端部より下側に位置し、且つ、印刷テープスプール２４の下側端部より上側に位置している。
【００７４】
カセットケース１９は、印刷テープロール２６が設けられた第１空間Ｓ１と、支持壁１４ａにより第１空間Ｓ１と区画され且つ第１空間Ｓ１の下側に位置する第２空間Ｓ２と、を有する。第３ケース部材１６は、第２空間Ｓ２の下側を規定する規定壁１６ａを備える。図９に示すように、第２ケース部材１４は、被押圧部４８の下側と規定壁１６ａとの間で上下方向に延設され且つ被押圧部４８を支持する第１支持部３５Ａを備える。第１支持部３５Ａは、例えば円柱形状であって、支持壁１４ａの裏面から下側に向けて延設され、下端が第３ケース部材１６の規定壁１６ａに接している。なお、第２空間Ｓ２は、本発明における「第２層」に対応する。
【００７５】
図１０に示すように、第３ケース部材１６の規定壁１６ａの正面には、上側に向けて突出する係止爪２７ａが設けられている。図９に示すように、第２ケース部材１４の支持壁１４ａの裏面には、下側に向けて突出する固定爪２８ａが設けられている。直交方向において、係止爪２７ａ及び固定爪２８ａは同じ位置にあり且つ第１支持部３５Ａとは異なる位置にある。直交方向において、係止爪２７ａと外周壁４６である短辺部４６ａ及び長辺部４６ｂとの間には、貫通孔５８がある。すなわち、係止爪２７ａは、規定壁１６ａが外周壁４６である短辺部４６ａ及び長辺部４６ｂのいずれにも直接的に接続されていない規定壁１６ａの隅部に設けられている。直交方向において、固定爪２８ａと外周壁４４である短辺部４４ａ及び長辺部４４ｂとの間には、貫通孔５２がある。すなわち、固定爪２８ａは、支持壁１４ａが外周壁４４である短辺部４４ａ及び長辺部４４ｂのいずれにも直接的に接続されていない支持壁１４ａの隅部に設けられている。
【００７６】
係止爪２７ａは、規定壁１６ａから直方体形状で立設された柱状部と、柱状部の先端部分に設けられた爪部と、を有する。固定爪２８ａは、係合された状態で係止爪２７ａの柱状部の少なくとも一部が嵌め込まれる所定幅の溝部と、溝部の先端部分に設けられて係止爪２７ａの爪部と係合する固定部と、を有する。係止爪２７ａ及び固定爪２８ａが係合されると、係止爪２７ａの柱状部と固定爪２８ａの溝部とが嵌め合わされた状態になる。この嵌め合わされた状態になると、支持壁１４ａ及び規定壁１６ａは直交方向のいずれにも相対移動しにくくなる。このように、係止爪２７ａ及び固定爪２８ａが係合されると、前述した支持壁１４ａの隅部と規定壁１６ａの隅部とが接続され、支持壁１４ａに対する規定壁１６ａの直交方向への相対的な移動が規制される。係止爪２７ａ及び固定爪２８ａは、本発明における「規制部」に対応する。
【００７７】
カセットケース１９は、規定壁１６ａにより第２空間Ｓ２と区画され且つ第２空間Ｓ２の下側に位置する第３空間Ｓ３を有する。第３空間Ｓ３の下側は、底壁１８ａによって規定される。
【００７８】
図１１に示すように、第３ケース部材１６は、規定壁１６ａと底壁１８ａとの間で上下方向に延設される第２支持部３５Ｂを備える。第２支持部３５Ｂは、例えば円筒形状である。なお、図１７（ａ）では、簡略化して円柱形状として図示されている。上下方向において、第２支持部３５Ｂが設けられている領域Ａ２は、穴部３３が設けられている領域Ａ１と重なっている。すなわち、第２支持部３５Ｂは、規定壁１６ａと底壁１８ａとの間で上下方向に延設され且つ穴部３３と上下方向に重なる位置で規定壁１６ａを支持している。第２支持部３５Ｂは、規定壁１６ａの裏面から下側に向けて延設され、下端が第４ケース部材１８の底壁１８ａの正面１８ａ１に接している。
【００７９】
本実施形態のカセット１０によれば、（ａ）被押圧部４８は、３箇所の被支持部１４０，１４２，１４４により定義される凸包絡１４６と上下方向において重なり、且つ、上下方向において、印刷テープロール２６の上側端部より下側に位置している。（ｂ）印刷テープロール２６は、上下方向である第１回転中心線Ｃ１を巻回中心として、穴部３３の周囲に巻回されて配置されている。周囲に印刷テープロール２６が巻回された穴部３３の内部に被押圧部４８が備えられているので、被押圧部４８についてカセット１０の内部に収容された内蔵物との干渉が回避されてカセット１０の上下方向における投影面積の増加が抑制される。また、被押圧部４８が被支持部１４０，１４２，１４４により定義される凸包絡１４６と上下方向において重なっているため、１つの被押圧部４８でも安定した状態でカセット１０が装着可能となる。
【００８０】
本実施形態のカセット１０によれば、（ａ）印刷テープロール２６を下側から支持し、上下方向と直交する直交方向に延設された支持壁１４ａが備えられ、（ｂ）被押圧部４８は、支持壁１４ａのうち印刷装置１０２の押え部材１２４に対向する部位に設けられている。これにより、被押圧部４８が印刷装置１０２の押え部材１２４により押圧されても、正面１２ａ１を有する上壁１２ａには押え部材１２４の押圧力が直接加わらないため上壁１２ａの変形が抑制される。上壁１２ａの変形が抑制されるため、上壁１２ａと印刷テープ２２との接触によるテープ引出抵抗の増加が抑制される。
【００８１】
本実施形態のカセット１０によれば、被押圧部４８は、支持壁１４ａのうち印刷テープロール２６を支持する支持面よりも上側に突出した突出部である第２支持突起３２に設けられている。支持壁１４ａから上側に突出した突出部に被押圧部４８が設けられているため、印刷装置１０２の押え部材１２４に対する被押圧部４８の上下方向における位置決め精度が良くなる。これによりカセット１０が安定して押圧された状態で装着可能となる。
【００８２】
本実施形態のカセット１０によれば、（ａ）カセットケース１９は、（ａ１）印刷テープロール２６が設けられた第１空間Ｓ１と、（ａ２）支持壁１４ａにより第１空間Ｓ１と区画され、第１空間Ｓ１の下側に位置する第２空間Ｓ２と、を有する。（ｂ）カセット１０は、（ｂ１）第２空間Ｓ２の下側を規定する規定壁１６ａと、（ｂ２）被押圧部４８の下側と規定壁１６ａとの間で上下方向に延設され、穴部３３と上下方向に重なる位置で被押圧部４８を支持する第１支持部３５Ａと、を備える。被押圧部４８は支持壁１４ａにより支持されるとともに第１支持部３５Ａを介して規定壁１６ａによっても支持される。支持壁１４ａ及び規定壁１６ａにより被押圧部４８が支持されるため、印刷装置１０２の押え部材１２４により押圧されても被押圧部４８が上下方向における下側に変形しにくくなる。したがって、印刷装置１０２の押え部材１２４により、カセット１０が安定して押圧された状態で装着可能となる。
【００８３】
本実施形態のカセット１０によれば、第１支持部３５Ａは、支持壁１４ａの裏面から下側に向けて延設されている。このように、第１支持部３５Ａが支持壁１４ａと一体的に設けられているため、第１支持部３５Ａが支持壁１４ａと別部材で設けられている場合に比べ、被押圧部４８が受ける印刷装置１０２の押え部材１２４の押圧力を規定壁１６ａに分散しやすくなる。したがって、印刷装置１０２の押え部材１２４により押圧されても被押圧部４８が上下方向における下側に変形しにくくなり、カセット１０が安定して押圧された状態で装着可能となる。
【００８４】
本実施形態のカセット１０によれば、上下方向と直交する直交方向に延設された底壁１８ａが備えられ、（ａ）カセット１０のカセットケース１９は、（ａ１）規定壁１６ａにより第２空間Ｓ２と区画され、（ａ２）第２空間Ｓ２の下側に位置する第３空間Ｓ３を有し、（ｂ）第３空間Ｓ３の下側は底壁１８ａによって規定され、（ｃ）カセット１０は、規定壁１６ａと底壁１８ａとの間で上下方向に延設され、穴部３３と上下方向に重なる位置で規定壁１６ａを支持する第２支持部３５Ｂを備える。被押圧部４８は支持壁１４ａ及び規定壁１６ａにより支持されるとともに第２支持部３５Ｂを介して底壁１８ａによっても支持される。支持壁１４ａ、規定壁１６ａ、及び底壁１８ａにより被押圧部４８が支持されるため、印刷装置１０２の押え部材１２４により押圧されても被押圧部４８が上下方向における下側に変形しにくくなる。したがって、カセット１０が安定して押圧された状態で装着可能となる。
【００８５】
本実施形態のカセット１０によれば、第２支持部３５Ｂは、規定壁１６ａの裏面から下側に向けて延設されている。このように、第２支持部３５Ｂが規定壁１６ａと一体的に設けられているため、第２支持部３５Ｂが規定壁１６ａと別部材で設けられている場合に比べ、規定壁１６ａが受ける印刷装置１０２の押え部材１２４の押圧力を底壁１８ａに分散しやすくなる。したがって、印刷装置１０２の押え部材１２４により押圧されても被押圧部４８が上下方向における下側に変形しにくくなり、カセット１０が安定して押圧された状態で装着可能となる。
【００８６】
本実施形態のカセット１０によれば、直交方向において、第１支持部３５Ａとは異なる位置で支持壁１４ａと規定壁１６ａとに接続し、支持壁１４ａに対する規定壁１６ａの直交方向への相対的な移動を規制する係止爪２７ａ及び固定爪２８ａが設けられている。係止爪２７ａ及び固定爪２８ａが設けられることにより、直交方向における支持壁１４ａと規定壁１６ａとの相対的な移動が規制されるため、直交方向における規定壁１６ａに対する第１支持部３５Ａの移動が規制される。そのため、被押圧部４８に対する第１支持部３５Ａによる支持が確実に行われる。
【００８７】
本実施形態のカセット１０によれば、（ａ）印刷テープロール２６は、印刷テープ２２が筒状の印刷テープスプール２４に巻回されて構成され、（ｂ）被押圧部４８は、（ｂ１）上下方向と直交する直交方向において、印刷テープスプール２４の内側に位置し、（ｂ２）上下方向において、印刷テープスプール２４の上側端部より下側に位置し、且つ、印刷テープスプール２４の下側端部より上側に位置する。このように、印刷テープロール２６の印刷テープ２２が巻回された印刷テープスプール２４の内側に被押圧部４８が位置しているので、カセット１０の内部に収容された内蔵物との干渉が回避されてカセット１０の上下方向における投影面積の増加が抑制される。
【００８８】
本実施形態のカセット１０によれば、穴部３３の開口部には、上側から下側に向かうにつれて穴部３３の直径が小さくなるように傾斜する傾斜面３１が設けられている。印刷装置１０２の押え部材１２４が穴部３３に挿入される場合、傾斜面３１が設けられているため押え部材１２４が穴部３３にスムーズに導かれる。
【実施例２】
【００８９】
［実施形態２］
図１８は、本発明の実施形態２に係るカセット１０Ａの断面構造及び印刷装置１０２に設けられたカセット装着部１０４へのカセット１０Ａの装着について説明する図である。実施形態２に係るカセット１０Ａの構成は、前述の実施形態１に係るカセット１０の構成と略同じであるが、カセット１０とは異なり第２支持部３５Ｂが設けられていない。
【００９０】
本実施形態のカセット１０Ａによれば、前述の実施形態１のカセット１０と略同じ効果を奏する。つまり、被押圧部４８が被支持部１４０，１４２，１４４により定義される凸包絡１４６と上下方向において重なっているため、１つの被押圧部４８でもカセット１０を安定した状態で装着できる。
【実施例３】
【００９１】
［実施形態３］
図１９は、本発明の実施形態３に係るカセット１０Ｂの断面構造及び印刷装置１０２に設けられたカセット装着部１０４へのカセット１０Ｂの装着について説明する図である。実施形態３に係るカセット１０Ｂの構成は、前述の実施形態１に係るカセット１０の構成と略同じであるが、カセット１０とは異なり第２支持突起３２及び第１支持部３５Ａが設けられていない。
【００９２】
穴部３３の内側に設けられた、挿入される押え部材１２４Ｂによって上側から押圧される被押圧部４８Ｂは、上下方向において支持壁１４ａのうち押え部材１２４に対向する部位に設けられている。本実施形態では実施形態１のような第２支持突起３２及び第１支持部３５Ａが設けられていないため、上下方向において、被押圧部４８Ｂは、印刷テープロール２６を支持する支持面と同じ位置である。第１ケース部材１２の第１支持突起３０は、上下方向における被押圧部４８Ｂの近くまで延設されている。なお、本体カバー１２２に設けられた押え部材１２４Ｂは、実施形態１に比較して穴部３３の深さが深くなったのに応じて上下方向に長くされている。
【００９３】
本実施形態のカセット１０Ｂによれば、前述の実施形態１のカセット１０と同様に、被押圧部４８Ｂについてカセット１０Ｂの内部に収容された内蔵物との干渉が回避されてカセット１０Ｂの上下方向における投影面積の増加が抑制される。また、１つの被押圧部４８Ｂでも安定した状態でカセット１０Ｂが装着可能となる。
【００９４】
本実施形態のカセット１０Ｂによれば、前述の実施形態１のカセット１０と同様に、印刷装置１０２の押え部材１２４Ｂが穴部３３に挿入される場合、傾斜面３１が設けられているため押え部材１２４Ｂが穴部３３にスムーズに導かれる。
【実施例４】
【００９５】
［実施形態４］
図２０は、本発明の実施形態４に係るカセット１０Ｃの断面構造及び印刷装置１０２に設けられたカセット装着部１０４へのカセット１０Ｃの装着について説明する図である。実施形態４に係るカセット１０Ｃの構成は、前述の実施形態１に係るカセット１０の構成と略同じであるが、カセット１０とは異なり第２支持突起３２及び第１支持部３５Ａが設けられておらず且つ被押圧部４８Ｃが第１ケース部材１２に設けられている。
【００９６】
穴部３３の内側に設けられた、挿入される押え部材１２４によって上側から押圧される被押圧部４８Ｃは、上下方向と直交する直交方向において、第１支持突起３０の下側端部から穴部３３の中心である第１回転中心線Ｃ１を中心とする径方向の内側に向かって延設されている。本実施形態では、実施形態１における第２支持突起３２及び第１支持部３５Ａが設けられていないため、上下方向において被押圧部４８Ｃの下側端部と支持壁１４ａとの間には距離Ｌ２［ｍｍ］の隙間がある。上下方向において、正面１２ａ１を有する上壁１２ａとその上壁１２ａに対向する印刷テープロール２６との間の隙間の距離Ｌ１［ｍｍ］は、距離Ｌ２よりも小さい。なお、本実施例では、上壁１２ａとその上壁１２ａに対向する印刷テープロール２６との間にはスペーサフィルム３８が介在している。そのため、隙間の距離Ｌ１は、上壁１２ａとその上壁１２ａに対向する印刷テープロール２６との間の距離から、それらの間に介在されたスペーサフィルム３８の上下方向における厚さ分を差し引いたものになる。このように、上壁１２ａとその上壁１２ａに対向する印刷テープロール２６との間に介在物がある場合には、隙間の距離Ｌ１は、上壁１２ａとその上壁１２ａに対向する印刷テープロール２６との間の距離から、それらの間に介在された介在物の上下方向における厚さ分を差し引いたものである。
【００９７】
本実施形態のカセット１０Ｃによれば、前述の実施形態１のカセット１０と同様に、被押圧部４８についてカセット１０Ｃの内部に収容された内蔵物との干渉が回避されてカセット１０Ｃの上下方向における投影面積の増加が抑制される。また、１つの被押圧部４８Ｃでも安定した状態でカセット１０Ｃが装着可能となる。
【００９８】
本実施形態のカセット１０Ｃによれば、前述の実施形態１のカセット１０と同様に、印刷装置１０２の押え部材１２４が穴部３３に挿入される場合、傾斜面３１が設けられているため押え部材１２４が穴部３３にスムーズに導かれる。
【００９９】
本実施形態のカセット１０Ｃによれば、（ａ）穴部３３の一部を構成し、上壁１２ａの正面１２ａ１から下側に向かって延設される穴壁部である第１支持突起３０が備えられ、（ｂ）被押圧部４８Ｃは、上下方向と直交する直交方向において、第１支持突起３０から穴部３３の中心である第１回転中心線Ｃ１を中心とする径方向の内側に向かって延設されている。このように正面１２ａ１から上下方向の下側に延びる穴部３３の径方向の内側に向かって延設された部位が被押圧部４８Ｃである。被押圧部４８Ｃが正面１２ａ１から延設された穴壁部である第１支持突起３０と一体的に設けられているため、印刷装置１０２の押え部材１２４に対する上下方向における被押圧部４８Ｃの位置決め精度が良くなる。また、第１支持突起３０と被押圧部４８Ｃとが別々のケース部材に設けられている場合のように、直交方向において第１支持突起３０と被押圧部４８Ｃとの位置を一致させることが不要である。
【実施例５】
【０１００】
［実施形態５］
図２１は、本発明の実施形態５に係るカセット１０Ｄの断面構造及び印刷装置１０２に設けられたカセット装着部１０４へのカセット１０Ｄの装着について説明する図である。実施形態５に係るカセット１０Ｄの構成は、前述の実施形態４に係るカセット１０Ｃの構成と略同じであるが、カセット１０Ｃとは異なり第３支持部３５Ｃ、第４支持部３５Ｄ、及び第５支持部３５Ｅが設けられている。
【０１０１】
図２１に示すように、第２ケース部材１４は、被押圧部４８Ｃの下側と支持壁１４ａとの間で上下方向に延設され且つ被押圧部４８Ｃを支持する第３支持部３５Ｃを備える。第３支持部３５Ｃは、例えば円柱形状である。第３支持部３５Ｃは、支持壁１４ａのうち印刷テープロール２６を支持する支持面よりも上側に突出している。上下方向において、第３支持部３５Ｃが設けられている領域Ａ３は、穴部３３が設けられている領域Ａ１と重なっている。すなわち、第３支持部３５Ｃは、被押圧部４８Ｃの下側と支持壁１４ａとの間で上下方向に延設され且つ穴部３３と上下方向に重なる位置で被押圧部４８Ｃを支持している。第３支持部３５Ｃは、支持壁１４ａの上側の面から上側に向けて延設されている。上下方向において、被押圧部４８Ｃの下側端部と第３支持部３５Ｃの上側端部との間の隙間の距離Ｌ３［ｍｍ］は、正面１２ａ１を有する上壁１２ａとその上壁１２ａに対向する印刷テープロール２６との間の隙間の距離Ｌ１よりも小さい。なお、被押圧部４８Ｃの下側端部と第３支持部３５Ｃの上側端部との間に介在物がある場合には、隙間の距離Ｌ３は、被押圧部４８Ｃの下側端部と第３支持部３５Ｃの上側端部との間の距離から、それらの間に介在された介在物の上下方向における厚さ分を差し引いたものである。
【０１０２】
第２ケース部材１４は、支持壁１４ａと規定壁１６ａとの間で上下方向に延設される第４支持部３５Ｄを備える。第４支持部３５Ｄは、例えば円柱形状である。上下方向において、第４支持部３５Ｄが設けられている領域Ａ４は、穴部３３が設けられている領域Ａ１と重なっている。すなわち、第４支持部３５Ｄは、支持壁１４ａと規定壁１６ａとの間で上下方向に延設され且つ穴部３３と上下方向に重なる位置で支持壁１４ａを支持している。第４支持部３５Ｄは、支持壁１４ａの裏面から下側に向けて延設されている。
【０１０３】
第３ケース部材１６は、規定壁１６ａと底壁１８ａとの間で上下方向に延設される第５支持部３５Ｅを備える。第５支持部３５Ｅは、例えば前述の第２支持部３５Ｂのように円筒形状である。なお、図２１では、簡略化して円柱形状として図示されている。上下方向において、第５支持部３５Ｅが設けられている領域Ａ５は、穴部３３が設けられている領域Ａ１と重なっている。すなわち、第５支持部３５Ｅは、規定壁１６ａと底壁１８ａとの間で上下方向に延設され且つ穴部３３と上下方向に重なる位置で規定壁１６ａを支持している。第５支持部３５Ｅは、規定壁１６ａの裏面から下側に向けて延設されている。
【０１０４】
図２２は、前述の実施形態４に係るカセット１０Ｃの被押圧部４８Ｃへの押圧によるカセットケース１９の変形について説明する図である。カセット１０Ｃでは、上下方向において、正面１２ａ１を有する上壁１２ａとその上壁１２ａに対向する印刷テープロール２６との隙間の距離、すなわち裏面１２ａ２と印刷テープロール２６の上側端部との間の隙間の距離Ｌ１は、被押圧部４８Ｃの下側端部と支持壁１４ａとの間の隙間の距離Ｌ２よりも小さい。したがって、第１ケース部材１２が弾性変形し易い樹脂などで成形され、印刷装置１０２の押え部材１２４の押圧力により上壁１２ａが上下方向の下側へ変形する場合、被押圧部４８Ｃが印刷テープ２２を支持する支持壁１４ａに接触する前に、上壁１２ａの裏面１２ａ２と印刷テープ２２とが接触するおそれがある。上壁１２ａの裏面１２ａ２と印刷テープ２２とが接触すると、印刷テープ２２のテープ引出抵抗が増加する。一方、本実施形態におけるカセット１０Ｃにおいては、後述するように印刷テープ２２のテープ引出抵抗の増加が抑制される。
【０１０５】
本実施形態のカセット１０Ｄによれば、前述の実施形態４のカセット１０Ｃと同様の効果を奏する。
【０１０６】
本実施形態のカセット１０Ｄによれば、（ａ１）印刷テープロール２６を下側から支持し、直交方向に延設された支持壁１４ａと、（ａ２）被押圧部４８Ｃを下側から支持する第３支持部３５Ｃであって、支持壁１４ａのうち穴部３３と上下方向に重なる位置に設けられた第３支持部３５Ｃと、が備えられる。被押圧部４８Ｃを支持する第３支持部３５Ｃが支持壁１４ａに設けられているため、正面１２ａ１を有する上壁１２ａ及び支持壁１４ａにより被押圧部４８Ｃが支持されるため、印刷装置１０２の押え部材１２４により押圧されても被押圧部４８Ｃが上下方向における下側に変形しにくくなる。したがって、カセット１０Ｄが安定して押圧された状態で装着可能となる。
【０１０７】
本実施形態のカセット１０Ｄによれば、第３支持部３５Ｃは、支持壁１４ａのうち印刷テープロール２６を支持する支持面よりも上側に突出している。このように、第３支持部３５Ｃが支持壁１４ａから上側に突出して被押圧部４８Ｃを支持しているため、印刷装置１０２の押え部材１２４に対する被押圧部４８Ｃの上下方向における位置決め精度が良くなる。これによりカセット１０Ｄが安定して押圧された状態で装着可能となる。
【０１０８】
本実施形態のカセット１０Ｄによれば、上下方向において、被押圧部４８Ｃの下側端部と第３支持部３５Ｃの上側端部との間の隙間の距離Ｌ２は、正面１２ａ１を有する上壁１２ａとその上壁１２ａに対向する印刷テープロール２６との間の隙間の距離Ｌ１よりも小さい。これにより、印刷装置１０２の押え部材１２４の押圧力により上壁１２ａが上下方向の下側へ変形する場合、上壁１２ａの裏面１２ａ２と印刷テープ２２とが接触する前に被押圧部４８Ｃが印刷テープ２２を支持する支持壁１４ａに設けられた第３支持部３５Ｃに接触する。すなわち、上壁１２ａと印刷テープ２２とが接触しそうになると、被押圧部４８Ｃが支持壁１４ａにより支持される。そのため、上壁１２ａの上下方向における下側へ変形に起因する上壁１２ａと印刷テープ２２との接触によるテープ引出抵抗の増加が抑制される。
【０１０９】
本実施形態のカセット１０Ｄによれば、（ａ）カセット１０Ｄのカセットケース１９は、（ａ１）印刷テープロール２６が設けられた第１空間Ｓ１と、（ａ２）支持壁１４ａにより第１空間Ｓ１と区画され、第１空間Ｓ１の下側に位置する第２空間Ｓ２と、が備えられ、（ｂ）カセット１０Ｄは、（ｂ１）第２空間Ｓ２の下側を規定する規定壁１６ａと、（ｂ２）支持壁１４ａを支持する第４支持部３５Ｄであって、第２空間Ｓ２において穴部３３と上下方向に重なる位置で上下方向に延設される第４支持部３５Ｄと、が備えられる。被押圧部４８Ｃは支持壁１４ａの第３支持部３５Ｃにより支持されるとともに第４支持部３５Ｄを介して規定壁１６ａによっても支持される。支持壁１４ａ及び規定壁１６ａにより被押圧部４８Ｃが支持されるため、印刷装置１０２の押え部材１２４により押圧されても被押圧部４８Ｃが上下方向における下側に変形しにくくなる。したがって、カセット１０Ｄが安定して押圧された状態で装着可能となる。
【０１１０】
本実施形態のカセット１０Ｄによれば、上下方向と直交する直交方向に延設された底壁１８ａが備えられ、（ａ）カセット１０Ｄのカセットケース１９は、規定壁１６ａにより第２空間Ｓ２と区画され、第２空間Ｓ２の下側に位置する第３空間Ｓ３を有し、（ｂ）第３空間Ｓ３の下側は底壁１８ａによって規定され、（ｃ）カセット１０Ｄは、規定壁１６ａと底壁１８ａとの間で上下方向に延設され、穴部３３と上下方向に重なる位置で規定壁１６ａを支持する第５支持部３５Ｅが備えられる。被押圧部４８Ｃは支持壁１４ａ及び規定壁１６ａにより支持されるとともに第５支持部３５Ｅを介して底壁１８ａによっても支持される。支持壁１４ａ、規定壁１６ａ、及び底壁１８ａにより被押圧部４８Ｃが支持されるため、印刷装置１０２の押え部材１２４により押圧されても被押圧部４８Ｃが上下方向における下側に変形しにくくなる。したがって、カセット１０Ｄが安定して押圧された状態で装着可能となる。
【０１１１】
以上、本発明の実施形態を図面に基づいて詳細に説明したが、本発明はその他の態様においても適用される。
【０１１２】
前述の実施形態１〜５において穴壁部を構成する第１支持突起３０は、穴部３３における周方向全体を囲む壁であったが、これに限られない。例えば、第１支持突起３０は、上下方向に延設された複数の柱が穴部３３における周方向の一部を囲むように配置されたものであっても良い。
【０１１３】
前述の実施形態５では、第３支持部３５Ｃ、第４支持部３５Ｄ、及び第５支持部３５Ｅが設けられていたが、これに限られない。例えば、カセット１０Ｄは、第３支持部３５Ｃが設けられ、第４支持部３５Ｄ及び第５支持部３５Ｅが設けられていない態様でも良い。この態様においては、被押圧部４８Ｃは上壁１２ａにより支持されるとともに第３支持部３５Ｃを介して支持壁１４ａによっても支持される。上壁１２ａ及び支持壁１４ａにより被押圧部４８Ｃが支持されるため、前述の実施形態４の態様に比較して、カセット１０Ｄが安定して押圧された状態で装着可能となる。例えば、カセット１０Ｄは、第３支持部３５Ｃ及び第４支持部３５Ｄが設けられ、第５支持部３５Ｅが設けられていない態様でも良い。この態様においては、被押圧部４８Ｃは上壁１２ａ及び支持壁１４ａにより支持されるとともに第４支持部３５Ｄを介して規定壁１６ａによっても支持される。上壁１２ａ、支持壁１４ａ、及び規定壁１６ａにより被押圧部４８Ｃが支持されるため、上述した態様に比較して、カセット１０Ｄが安定して押圧された状態で装着可能となる。
【０１１４】
前述の実施形態１、２、５における第１支持部３５Ａ、第２支持部３５Ｂ、第３支持部３５Ｃ、第４支持部３５Ｄ、及び第５支持部３５Ｅは、図２３（ａ）に示すような上下方向に延設された円柱形状又は円筒形状であったが、これに限られない。例えば、図２３（ａ）に示す上下方向に延設された円柱形状や図２３（ｂ）に示す上下方向に延設された円筒形状の他、図２３（ｃ）に示す十字型の柱状であっても良い。十字型の柱状である場合には、押え部材１２４によって被押圧部４８，４８Ｃを介して各支持部３５Ａ、３５Ｂ、３５Ｃ、３５Ｄ、３５Ｅに上下方向に荷重が加えられても各支持部３５Ａ、３５Ｂ、３５Ｃ、３５Ｄ、３５Ｅはたわみが生じにくくなる、すなわち座屈に強くなる。また、各支持部３５Ａ、３５Ｂ、３５Ｃ、３５Ｄ、３５Ｅを利用して貼合せテープ６０、インクリボン６８などのテープの搬送方向を変更する場合、各支持部３５Ａ、３５Ｂ、３５Ｃ、３５Ｄ、３５Ｅが十字型の柱状であると、円筒形状や円柱形状の場合に比べて、そのテープが各支持部３５Ａ、３５Ｂ、３５Ｃ、３５Ｄ、３５Ｅに接触する接触部分が少なくなって摩擦抵抗が小さくなる。これにより、テープと各支持部３５Ａ、３５Ｂ、３５Ｃ、３５Ｄ、３５Ｅとの摩擦抵抗の増加を抑制しつつ、支持部３５Ａ、３５Ｂ、３５Ｃ、３５Ｄ、３５Ｅの直交方向の大きさを大きくすることができる。これにより、被押圧部４８，４８Ｃを介して上下方向に加えられる荷重による支持部３５Ａ、３５Ｂ、３５Ｃ、３５Ｄ、３５Ｅのたわみをさらに生じにくくすることが可能となる。
【０１１５】
前述の実施形態１〜５では、規制部である係止爪２７ａ及び固定爪２８ａは、規定壁１６ａ及び支持壁１４ａが外周壁に直接的に接続されていない規定壁１６ａ及び支持壁１４ａの隅部に１箇所設けられていたが、これに限られない。例えば、規定壁１６ａ及び支持壁１４ａが外周壁に直接的に接続されていない規定壁１６ａ及び支持壁１４ａの隅部ではない部位に、規制部としての係止爪２７ａ及び固定爪２８ａが２箇所設けられ、一方の規制部が規定壁１６ａ及び支持壁１４ａの左右方向への相対移動を規制し、他方の規制部が規定壁１６ａ及び支持壁１４ａの前後方向への相対移動を規制するようにされても良い。
【０１１６】
前述の実施形態１〜５では、被支持部１４０が第３ケース部材１６の外周壁４６の長辺部４６ｂに設けられた溝部の正面側の先端部に設けられ、被支持部１４２，１４４が第４ケース部材１８の底壁１８ａの裏面１８ａ２に設けられていたが、これに限られない。例えば、被支持部１４０，１４２，１４４が全て第４ケース部材１８の底壁１８ａの裏面１８ａ２に設けられても良い。例えば、被支持部１４０，１４２，１４４のすべてが、第４ケース部材１８の底壁１８ａの裏面１８ａ２ではない箇所に設けられても良い。
【０１１７】
前述の実施形態１，２では、第１支持部３５Ａの下端が第３ケース部材１６の規定壁１６ａに接していたが、第１支持部３５Ａの下端が第３ケース部材１６の規定壁１６ａからわずかに離れていてもよい。同様に、実施形態１では、第２支持部３５Ｂの下端が第４ケース部材１８の底壁１８ａの正面１８ａ１に接していたが、第２支持部３５Ｂの下端が第４ケース部材１８の底壁１８ａの正面１８ａ１からわずかに離れていてもよい。
【０１１８】
前述の実施形態１〜５では、テープロールに対応するものとして印刷テープロール２６を用いて説明したが、テープロールに対応するものは印刷テープロール２６に限られない。テープロールに対応するものとして、例えば印刷された印刷テープ２２の表面に貼り合わされる貼合せテープ６０が巻回された貼合せテープロール６４や、印刷テープ２２に印刷する際に用いられるインクリボン６８が巻回されたインクリボンロール７２であってもよく、帯状のテープが巻回されたロールであれば適宜テープロールとして採用することができる。
【０１１９】
なお、上述したのはあくまでも本発明の実施形態であり、本発明はその趣旨を逸脱しない範囲において種々の変更が加えられ得るものである。
【符号の説明】
【０１２０】
１０，１０Ａ，１０Ｂ，１０Ｃ，１０Ｄ：カセット
１２ａ：上壁
１２ａ１：正面（上面）
１４ａ：支持壁
１６ａ：規定壁
１８ａ：底壁
１８ａ２：裏面（底面）
１９：カセットケース
２２：印刷テープ（テープ）
２４：印刷テープスプール（テープスプール）
２６：印刷テープロール（テープロール）
２７ａ：係止爪（規制部）
２８ａ：固定爪（規制部）
３０：第１支持突起（穴壁部）
３１：傾斜面
３２：第２支持突起（突出部）
３３：穴部
３５Ａ：第１支持部
３５Ｂ：第２支持部
３５Ｃ：第３支持部
３５Ｄ：第４支持部
３５Ｅ：第５支持部
４８，４８Ｂ，４８Ｃ：被押圧部
１０２：印刷装置
１２４，１２４Ｂ：押え部材
１４０，１４２，１４４：被支持部
１４６：凸包絡
Ｌ１：距離
Ｌ３：距離
Ｓ１：第１空間（第１層）
Ｓ２：第２空間（第２層）
Ｓ３：第３空間（第３層）
【図１】
2020168729.tif 000003
【図２】
2020168729.tif 000004
【図３】
2020168729.tif 000005
【図４】
2020168729.tif 000006
【図５】
2020168729.tif 000007
【図６】
2020168729.tif 000008
【図７】
2020168729.tif 000009
【図８】
2020168729.tif 000010
【図９】
2020168729.tif 000011
【図１０】
2020168729.tif 000012
【図１１】
2020168729.tif 000013
【図１２】
2020168729.tif 000014
【図１３】
2020168729.tif 000015
【図１４】
2020168729.tif 000016
【図１５】
2020168729.tif 000017
【図１６】
2020168729.tif 000018
【図１７】
2020168729.tif 000019
【図１８】
2020168729.tif 000020
【図１９】
2020168729.tif 000021
【図２０】
2020168729.tif 000022
【図２１】
2020168729.tif 000023
【図２２】
2020168729.tif 000024
【図２３】
2020168729.tif 000025